(57)【要約】【課題】昼行性家禽類から効率的に採卵することができる照明装置等を提供する。【解決手段】家禽類の飼育に用いられる照明装置１は、２６０［ｎｍ］以上３４０［ｎｍ］以下の波長成分に発光ピークを有する光を照射する第１の光源１１と、第１の光源１１を制御するための制御部２０とを有し、制御部２０は、第１の光源１１に、２６０［ｎｍ］以上３４０［ｎｍ］以下の波長成分に発光ピークを有する光を３［μＷ／ｃｍ２］以上２０［μＷ／ｃｍ２］以下の放射照度で照射させる。【選択図】図２
2019141000.tif 000002
【特許請求の範囲】
【請求項１】
家禽類の飼育に用いられる照明装置であって、
２６０［ｎｍ］以上３４０［ｎｍ］以下の波長成分に発光ピークを有する光を照射する第１の光源と、
前記第１の光源を制御するための制御部とを有し、
前記制御部は、前記第１の光源に、２６０［ｎｍ］以上３４０［ｎｍ］以下の波長成分に発光ピークを有する光を３［μＷ／ｃｍ２］以上２０［μＷ／ｃｍ２］以下の放射照度で照射させる、
照明装置。
【請求項２】
前記第１の光源は、第１の発光部と、第１のフィルタとを備え、
前記第１のフィルタは、前記第１の発光部から照射された光のうち、２６０［ｎｍ］以上３４０［ｎｍ］以下の波長成分に発光ピークを有する光を透過させる、
請求項１に記載の照明装置。
【請求項３】
前記照明装置は、６１０［ｎｍ］以上６６０［ｎｍ］以下の波長成分に発光ピークを有する光を照射する第２の光源をさらに備え、
前記第２の光源は、前記制御部により制御され、
前記制御部は、前記第２の光源に、６１０［ｎｍ］以上６６０［ｎｍ］以下の波長成分に発光ピークを有しかつ５［ｌｘ］以上３０［ｌｘ］以下の照度の光を１６［ｈ／日］以上２０［ｈ／日］以下照射させる、
請求項１または２に記載の照明装置。
【請求項４】
前記第２の光源は、第２の発光部と、第２のフィルタとを備え、
前記第２のフィルタは、前記第２の発光部から照射された光のうち、６１０［ｎｍ］以上６６０［ｎｍ］以下の波長成分に発光ピークを有する光を透過させる、
請求項３に記載の照明装置。
【請求項５】
前記第２の光源の消灯後、前記制御部は、前記前記第１の光源に５［μＷ／ｃｍ２］以上１５［μＷ／ｃｍ２］以下の放射照度の光を照射させる、
請求項３または４に記載の照明装置。
【請求項６】
請求項１〜４のいずれか１項に記載の照明装置に用いられる、少なくとも前記第１の光源を有する照明部である、
ランプ。
【請求項７】
請求項３または４に記載の照明装置に用いられる、前記第１の光源および前記第２の光源を有する照明部である、
ランプ。
【請求項８】
家禽類の飼育に用いられる照明方法であって、
第１の光源により、２６０［ｎｍ］以上３４０［ｎｍ］以下の波長成分に発光ピークを有する光を３［μＷ／ｃｍ２］以上２０［μＷ／ｃｍ２］以下の放射照度で照射するとともに、
第２の光源により、６１０［ｎｍ］以上６６０［ｎｍ］以下の波長成分に発光ピークを有しかつ５［ｌｘ］以上３０［ｌｘ］以下の照度の光を１６［ｈ／日］以上２０［ｈ／日］以下照射する、
照明方法。
【請求項９】
前記第２の光源の消灯後、前記第１の光源により５［μＷ／ｃｍ２］以上１５［μＷ／ｃｍ２］以下の放射照度の光を照射する、
請求項８に記載の照明方法。
【発明の詳細な説明】
【技術分野】
【０００１】
本発明は、昼行性家禽類の飼育に用いられる照明装置、照明方法およびランプに関する。
【背景技術】
【０００２】
鶏などの昼行性家禽類の飼育は、産業として、日本を含めた世界各国において盛んに行われている。例えば、特許文献１には、家禽舎内において光源によって照らされる明部の径を、ひなの成長とともに順次大きくする飼育方法が開示されている。
【先行技術文献】
【特許文献】
【０００３】
【特許文献１】特開平０５−１９９８２３号公報
【発明の概要】
【発明が解決しようとする課題】
【０００４】
採卵用の鶏であるレイヤーなどの昼行性家禽類の飼育においては、昼行性家禽類から効率的に採卵することが求められている。例えば、産卵日量を増加させたり、くる病や吸血性ダニによる貧血等の病気により昼行性家禽類が排除されるのを抑制することが求められている。
【０００５】
本開示は、昼行性家禽類から効率的に採卵することができる照明装置、照明方法およびランプを提供する。
【課題を解決するための手段】
【０００６】
本開示の一態様に係る照明装置は、家禽類の飼育に用いられる照明装置であって、２６０［ｎｍ］以上３４０［ｎｍ］以下の波長成分に発光ピークを有する光を照射する第１の光源と、前記第１の光源を制御するための制御部とを有し、前記制御部は、前記第１の光源に、２６０［ｎｍ］以上３４０［ｎｍ］以下の波長成分に発光ピークを有する光を３［μＷ／ｃｍ２］以上２０［μＷ／ｃｍ２］以下の放射照度で照射させる。
【０００７】
また、本開示の一態様に係るランプは、上記特徴を有する照明装置に用いられる、少なくとも前記第１の光源を有する照明部である。
【０００８】
また、本開示の一態様に係る照明方法は、家禽類の飼育に用いられる照明方法であって、第１の光源により、２６０［ｎｍ］以上３４０［ｎｍ］以下の波長成分に発光ピークを有する光を３［μＷ／ｃｍ２］以上２０［μＷ／ｃｍ２］以下の放射照度で照射するとともに、第２の光源により、６１０［ｎｍ］以上６６０［ｎｍ］以下の波長成分に発光ピークを有しかつ５［ｌｘ］以上３０［ｌｘ］以下の照度の光を１６［ｈ／日］以上２０［ｈ／日］以下照射する。
【発明の効果】
【０００９】
本開示に係る照明装置、照明方法およびランプは、昼行性家禽類から効率的に採卵することができる。
【図面の簡単な説明】
【００１０】
【図１】実施の形態１に係る照明装置の概要を示す図である。
【図２】実施の形態１に係る照明装置の機能構成を示すブロック図である。
【図３】第１の光源が発する光の発光スペクトルの例を示す図である。
【図４Ａ】フィルタを用いた第１の光源の構成の一例を示す概略図である。
【図４Ｂ】フィルタを用いた第１の光源が発する光の発光スペクトルの例を示す図である。
【図５Ａ】実施の形態１に係る照明装置における照射部の照射パターンを示す図である。
【図５Ｂ】従来技術に係る照明装置における照射部の照射パターンを示す図である。
【図５Ｃ】比較例に係る照明装置における照射部の照射パターンを示す図である。
【図６】従来技術、実施の形態１および比較例に係る照明装置による比較試験の結果を示す図である。
【図７】実施の形態２に係る照明装置の機能構成を示すブロック図である。
【図８】第２の光源の構成の一例を示す概略構成図であり、（ａ）は斜視図、（ｂ）は平面図である。
【図９】照明部の構成の他の例を示す概略図である。
【図１０Ａ】フィルタを用いた第２の光源が発する光の発光スペクトルの一例を示す図である。
【図１０Ｂ】フィルタを用いた第２の光源が発する光の発光スペクトルの他の例を示す図である。
【図１１】実施の形態２に係る照明装置における照射部の照射パターンを示す図である。
【図１２】従来技術、実施の形態１、実施の形態２および比較例に係る照明装置による比較試験の結果を示す図である。
【図１３】実施の形態３に係る照明装置における照射部の照射パターンを示す図である。
【図１４】従来技術、実施の形態１、実施の形態２、実施の形態３および比較例に係る照明装置による比較試験の結果を示す図である。
【図１５】変形例１に係る照明装置の照射対象に対する配置位置を示す図である。
【図１６】変形例に係る照明装置の照射対象に対する配置位置を示す図である。
【発明を実施するための形態】
【００１１】
以下、実施の形態について、図面を参照しながら説明する。なお、以下で説明する実施の形態は、いずれも包括的または具体的な例を示すものである。以下の実施の形態で示される数値、形状、材料、構成要素、構成要素の配置位置および接続形態などは、一例であり、本発明を限定する主旨ではない。また、以下の実施の形態における構成要素のうち、最上位概念を示す独立請求項に記載されていない構成要素については、任意の構成要素として説明される。
【００１２】
なお、各図は模式図であり、必ずしも厳密に図示されたものではない。また、各図において、実質的に同一の構成に対しては同一の符号を付し、重複する説明は省略または簡略化される場合がある。
【００１３】
（実施の形態１）
［１−１．照明装置の構成］
まず、実施の形態１に係る照明装置１の構成について説明する。図１は、実施の形態１に係る照明装置１の概要を示す図である。図２は、実施の形態１に係る照明装置１の機能構成を示すブロック図である。
【００１４】
図１に示すように、実施の形態１に係る照明装置１は、昼行性家禽類の飼育に用いられる照明装置である、照明装置１は、より具体的には、産卵鶏用の照明装置である。照明装置１は、主として雌鶏用の照明装置である。照明装置１は、例えば、鶏舎６に設置される。図１及び図２に示すように、照明装置１は、照明部１０と、制御部２０とを備える。
【００１５】
照明部１０は、鶏舎６の天井に設置され、鶏舎６内を照射する。照明部１０は、鶏舎６の天井に少なくとも１つ設置されればよく、複数設置されてもよい。照明部１０は、具体的には、複数の産卵鶏５が飼育されている飼育領域７（鶏舎６の床）に光を照射する。これにより、鶏舎６内の産卵鶏５に光が照射される。鶏舎６で飼育される産卵鶏５の種類は、例えばレイヤーであるが、他の種類であってもよい。
【００１６】
照明装置１は、図２に示すように、照明部１０と制御部２０とを備えている。照明部１０は、第１の光源１１を有している。第１の光源１１は、例えば、発光素子としてＬＥＤ（Ｌｉｇｈｔ  Ｅｍｉｔｔｉｎｇ  Ｄｉｏｄｅ）を有する発光モジュールである。
【００１７】
第１の光源１１は、制御回路２１の制御に基づいて電力供給が開始されると、２６０ｎｍ以上３４０ｎｍ以下の波長成分にピークを有する光を発する。第１の光源１１の発光スペクトルは、例えば、上記の波長成分のピーク（発光ピーク波長）において最大の明るさとなる。なお、照明部１０は、ＬＥＤに限らず、例えばランプであってもよい。
【００１８】
２６０ｎｍ以上３４０ｎｍ以下の波長成分にピークを有する光は、産卵鶏５の体内においてビタミンＤを増加させ、カルシウムを増加させるという効果がある。これにより、鶏舎６内の産卵鶏５が、骨の奇形を生じるくる病などの病気に罹るのを抑制することができる。また、２６０ｎｍ以上３４０ｎｍ以下の波長成分にピークを有する光は、ワクモ、トリサシダニなどの吸血性ダニの皮膚を硬化させ行動を抑制する効果がある。したがって、鶏舎６内の産卵鶏５に寄生する吸血性ダニを防除し、産卵鶏５が貧血などにより死亡するのを抑制することができる。
【００１９】
図３は、第１の光源１１が発する光の発光スペクトルの例を示す図である。光源第１の光源１１は、例えば白色光を発してもよい。白色光を発する第１の光源１１は、例えば、青色ＬＥＤ及び蛍光体の組み合わせによって実現されるものであってもよい。白色光を発する第１の光源１１は、具体的には、ＣＯＢ（Ｃｈｉｐ  Ｏｎ  Ｂｏａｒｄ）型の発光モジュール、ＳＭＤ（Ｓｕｒｆａｃｅ  Ｍｏｕｎｔ  Ｄｅｖｉｃｅ）型の発光モジュール、または、リモートフォスファー型の発光モジュールなどによって実現される。白色光を発する第１の光源１１は、蛍光灯、ＨＩＤ（Ｈｉｇｈ−Ｉｎｔｅｎｓｉｔｙ  Ｄｉｓｃｈａｒｇｅ  ｌａｍｐ）などであってもよい。なお、第１の光源１１が発する白色光は、黒体軌跡上の白色であってもよいし、黒体軌跡から外れた白色であってもよい。
【００２０】
なお、第１の光源１１から白色光が発せられる場合、赤色光が発せられる場合よりも鶏舎６０内の作業者の作業性（例えば、人間の視認性）を向上することができる。
【００２１】
また、図４Ａは、第１のフィルタ１１ｂを用いた第１の光源１１の構成の一例を示す概略図である。図４Ｂは、第１のフィルタ１１ｂを用いた第１の光源１１が発する光の発光スペクトルの例を示す図である。
【００２２】
図４Ａに示すように、第１の光源１１は、第１の発光部１１ａと第１のフィルタ１１ｂとで構成されてもよい。第１のフィルタ１１ｂは、第１の発光部１１ａから照射された光のうち、２６０［ｎｍ］以上３４０［ｎｍ］以下の波長成分にピークを有する光を透過する。つまり、第１のフィルタ１１ｂは、図５に示すように、２６０［ｎｍ］以上３４０［ｎｍ］以下の波長成分にピークを有する光以外の光をカットする。これにより、第１のフィルタ１１ｂを通過した光は、２６０［ｎｍ］以上３４０［ｎｍ］以下の波長成分にピークを有するものとなる。
【００２３】
つまり、第１の発光部１１ａと第１のフィルタ１１ｂにより構成される第１の光源１１では、第１の発光部１１ａとして２６０［ｎｍ］以上３４０［ｎｍ］以下の波長成分およびこれ以外の波長成分にピークを有する光を照射する発光部を用いることができる。したがって、第１の発光部１１ａとして、人間の視認性に影響のない光を照射する発光部を用いるので、作業者に違和感を与えるのを低減することができる。
【００２４】
制御部２０は、制御回路２１と、時間設定部２３とを有している。
【００２５】
制御回路２１は、照明部１０による光の照射を制御する回路である。制御回路２１は、照明部１０の第１の光源１１の発光制御を行う。より具体的には、制御部２０は、第１の光源１１に２６０［ｎｍ］以上３４０［ｎｍ］以下の波長成分にピークを有する光を３［μＷ／ｃｍ２］以上２０［μＷ／ｃｍ２］以下の放射照度で照射させる。なお、照射照度とは、照射対象側からみた、照射される光のエネルギーのことをいう。
【００２６】
制御回路２１は、時間設定部２３で設定された時間に、光源部２１から所定の光が照射されるように、照明部１０の制御を行う。
【００２７】
制御回路２１は、具体的には、マイクロコンピュータによって実現されるが、プロセッサまたは回路によって実現されてもよい。制御回路２１は、マイクロコンピュータ、プロセッサ、及び、回路の２つ以上の組み合わせによって実現されてもよい。制御回路２１には、後述する時間設定部２３が接続されている。
【００２８】
なお、制御部２０は、制御回路２１にプロセッサまたはマイクロコンピュータなどが含まれる場合に、制御回路２１が実行する制御プログラムが記憶される記憶部（図示せず）を有していてもよい。記憶部は、例えば、半導体メモリによって実現されてもよい。
【００２９】
時間設定部２３は、時間を設定し計測する計時部である。時間設定部２３は、例えば、現在の日時（年月日を含む）を計測する。また、時間設定部２３は、日の出日の入り時刻等を記憶する。時間設定部２３は、具体的には、タイマ回路、リアルタイムクロックＩＣ、または、ソフトウェアタイマなどであるが、どのような態様であってもよい。時間設定部２３が計測した時間を示す時間情報は、制御回路２１に出力される。制御回路２１は、時間設定部２３が計測した時間に応じて光源部２２の制御を行う。
【００３０】
［１−２．照射光の照射パターン］
ここで、照明装置１の照射光の制御方法について、従来の制御方法と比較しながら説明する。図５Ａは、本実施の形態に係る照明装置１における照明部１０の照射パターンを示す図である。図５Ｂは、従来技術に係る照明部の照射パターンを示す図である。図５Ｃは、比較例に係る照明装置における照明部の照射パターンを示す図である。
【００３１】
本実施の形態に係る照明装置１では、第１の光源１１は、２６０［ｎｍ］以上３４０［ｎｍ］以下の波長成分にピークを有する光を発する光源である。そして、制御部２０は、所定時間、例えば図５Ａに示すように、０時から２４時までの２４時間一定の放射照度の光を照射対象に照射するように照明部１０を制御する。これにより、照明装置１から照射対象に２６０［ｎｍ］以上３４０［ｎｍ］以下の波長成分にピークを有する光が照射される。
【００３２】
これに対し、従来技術に係る照明装置では、第１の光源は、２６０［ｎｍ］以上３４０［ｎｍ］以下の波長成分およびこれ以外の波長成分にピークを有する光を発する光源である。また、制御部は、例えば図５Ｂに示すように、１日のうち２時から２２時まで一定の放射照度の光を照射対象に照射するように照明部を制御する。
【００３３】
以下、本実施の形態に係る照明装置１を用いた実施例について説明する。なお、比較のため、従来技術に係る照明装置、および、比較例に係る照明装置を用いた例についても併せて説明する。比較例に係る照明装置は、２６０［ｎｍ］以上３４０［ｎｍ］以下の波長成分以外の波長成分にピークを有する光を発する第１の光源を備えている。比較例に係る照明装置における光源部の照射パターンは、図５Ｃに示すように従来技術に係る照明装置の照射パターンと同様である。
【００３４】
［１−３．実施例］
ここでは、本実施の形態、従来技術および比較例に係る照明装置のそれぞれにより照射した照射対象について、平均産卵日量［ｇ］、奇形鶏発生率［％］、産卵鶏排除率［％］の比較を行う。照射対象は、産卵鶏育成期間が前期、中期および後期（孵化１５０日〜６００日）の産卵鶏５であり、家禽舎内の１区で飼育される１００羽である。
【００３５】
実施例１に係る照明装置１は、照明部１０の第１の光源１１として、放射照度が３［μＷ／ｃｍ２］のＵＶ蛍光灯を備えている。つまり、第１の光源１１から照射される光は、２６０［ｎｍ］以上３４０［ｎｍ］以下の波長成分にピークを有する。そして、制御部２０は、図５Ａに示したように、１日のうち０時から２４時まで、すなわち２４時間照射対象である産卵鶏５に光を照射している。
【００３６】
また、従来例１に係る照明装置は、照明部の第１の光源として、照度が１０［ｌｘ］の白熱灯を備えている。また、従来例２に係る照明装置は、照明部の第１の光源として、照度が１０［ｌｘ］、色温度が２７００［Ｋ］のＬＥＤ電球を備えている。従来例１および従来例２に係る照明装置では、制御部２０は、図５Ｂに示したように、１日のうち２時から２２時まで照射対象である産卵鶏５に光を照射している。
【００３７】
比較例１に係る照明装置は、照明部の第１の光源として、照度が１０［ｌｘ］、６３０［ｎｍ］付近の波長成分にピークを有する赤色ＬＥＤを備えている。また、比較例２に係る照明装置は、照明部の第１の光源として、照度が１０［ｌｘ］、色温度が２０００［Ｋ］付近の波長成分にピークを有するＬＥＤを備えている。つまり、比較例１および比較例２に係る照明装置では、６１０［ｎｍ］以上６６０［ｎｍ］以下の波長成分にピークを有する赤色光が照射される。また、比較例１および比較例２に係る照明装置では、制御部２０は、図５Ｃに示したように、１日のうち２時から２２時まで照射対象である産卵鶏５に光を照射している。
【００３８】
図６は、本実施の形態、従来技術および比較例に係る照明装置による比較試験の結果を示す図である。ここで、平均産卵日量［ｇ］とは、一羽の産卵鶏５が一日に産卵した鶏卵の平均重量を示している。奇形鶏発生率［％］とは、奇形鶏が発生した割合を示している。具体的には、くる病を発症した産卵鶏５の割合を示している。産卵鶏排除率［％］とは、吸血性ダニによる貧血などにより死亡し、排除された産卵鶏５の割合を示している。
【００３９】
従来例１、従来例２、比較例１、比較例２および実施例１の実験結果を比較すると、図６に示すように、従来例１および従来例２に比べて、比較例１、比較例２および実施例１では平均産卵日量が増加している。したがって、本実施の形態に係る照明装置１およびその制御方法によると、従来技術に比べ平均産卵日量は増加することが解る。
【００４０】
また、奇形鶏発生率については、従来例１、従来例２、比較例１および比較例２では３〜５％の割合で奇形鶏５が発生したのに対し、実施例１では０％という結果が得られた。したがって、本実施の形態に係る照明装置１では、産卵鶏５の体内のビタミンＤおよびカルシウムの増加を促進し、奇形鶏の発生を抑制することができることが解る。
【００４１】
また、産卵鶏排除率については、従来例１、従来例２および比較例２では１０％以上の割合で産卵鶏５が排除され、比較例１では、７％という割合で産卵鶏が排除されている。これに対し、実施例１では、産卵鶏排除率が５％と最も低くなっている。したがって、本実施の形態に係る照明装置１では、産卵鶏５に寄生する吸血性ダニを防除し、産卵鶏５が貧血などにより死亡するのを抑制することができることが解る。
【００４２】
以上により、本実施の形態に係る照明装置１を用いると、産卵日量を増加させたり、奇形鶏および排除鶏の割合を低減させたりすることにより、効率的に採卵することができる。
【００４３】
なお、図６において比較例１および比較例２に示したように、６１０［ｎｍ］以上６６０［ｎｍ］以下の波長成分にピークを有する赤色光が照射された産卵鶏５では、平均産卵日量が増加し、かつ、奇形鶏発生率および産卵鶏排除率も低下することが解った。
【００４４】
［１−４．まとめ］
以上、本実施の形態に係る照明装置１は、家禽類の飼育に用いられる照明装置であって、２６０［ｎｍ］以上３４０［ｎｍ］以下の波長成分に発光ピークを有する光を照射する第１の光源と、前記第１の光源を制御するための制御部とを有し、前記制御部は、前記第１の光源に、２６０［ｎｍ］以上３４０［ｎｍ］以下の波長成分に発光ピークを有する光を３［μＷ／ｃｍ２］以上２０［μＷ／ｃｍ２］以下の放射照度で照射させる。
【００４５】
これにより、鶏舎において、昼行性家禽類である産卵鶏５の奇形鶏発生率および産卵鶏排除率を低減することができる。これにより、産卵鶏５から効率よく採卵することができる。
【００４６】
また、前記第１の光源は、第１の発光部と、第１のフィルタとを備え、前記第１のフィルタは、前記第１の発光部から照射された光のうち、２６０［ｎｍ］以上３４０［ｎｍ］以下の波長成分に発光ピークを有する光を透過させてもよい。
【００４７】
これにより、人間の視認性に影響のない光を照射する発光部を用いることができるので、作業者に違和感を与えるのを低減しつつ、産卵鶏５から効率よく採卵することができる。
【００４８】
（実施の形態２）
［２−１．照明装置の構成］
次に、実施の形態２に係る照明装置１００について説明する。本実施の形態に係る照明装置１００が実施の形態１にかかる照明装置１と異なる点は、照明部１１０が第１の光源１１に加えて第２の光源１１１を有している点である。以下、本実施の形態に係る照明装置１００の構成について説明する。
【００４９】
図７は、本実施の形態に係る照明装置１００の機能構成を示すブロック図である。
【００５０】
図７に示すように、照明装置１００は、照明部１１０と制御部１２０とを備えている。照明部１１０は、第１の光源１１と、第２の光源１１１とを有している。照明部１１０は、例えば第１の光源１１と、第２の光源１１１とを有するランプであってもよい。制御部１２０は、制御回路１２１と、時間設定部２３とを有している。第１の光源１１、時間設定部２３の構成は、実施の形態１に示した第１の光源１１、時間設定部２３と同様であるため、説明を省略する。
【００５１】
第２の光源１１１は、制御回路１２１の制御に基づいて電力供給が開始されると、６１０ｎｍ以上６６０ｎｍ以下の波長成分にピークを有する光を発する。第２の光源１１１は、例えば、発光素子としてＬＥＤを有する発光モジュールである。第２の光源１１１の発光スペクトルは、例えば、上記の波長成分のピーク（発光ピーク波長）において最大の明るさとなる。第２の光源１１１については、後に詳述する。
【００５２】
図８は、第２の光源１１１の構成の一例を示す概略構成図であり、（ａ）は斜視図、（ｂ）は平面図である。図８の（ａ）および（ｂ）に示すように、第２の光源１１１は、第１の光源１１と第２の光源１１１とが交互に配置されている。これにより、照明装置１００は、照射対象に対して、第１の光源１１から発光される２６０［ｎｍ］以上３４０［ｎｍ］以下の波長成分にピークを有する光と、第２の光源１１１から発光される６１０ｎｍ以上６６０ｎｍ以下の波長成分にピークを有する光とを満遍なく照射することができる。
【００５３】
なお、図８の（ａ）および（ｂ）に示した第１の光源１１および第２の光源１１１の配置は一例であり、例えば、照明装置１００を平面視したときに第１の光源１１を照明装置１００の外周に近い位置に環状に配置し、第２の光源１１１を第１の光源１１が配置された位置よりも内側に配置してもよい。
【００５４】
制御回路１２１は、照明部１１０の第１の光源１１および第２の光源１１１の発光制御を行う。より具体的には、制御回路１２１は、第１の光源１１に２６０［ｎｍ］以上３４０［ｎｍ］以下の波長成分にピークを有する光を３［μＷ／ｃｍ２］以上２０［μＷ／ｃｍ２］以下の放射照度で照射させる。同時に、制御回路１２１は、第２の光源１１１に、６１０ｎｍ以上６６０ｎｍ以下の波長成分にピークを有しかつ５［ｌｘ］以上３０［ｌｘ］以下の照度の光を１６［ｈ／日］以上２０［ｈ／日］以下照射させる制御を行う。例えば、制御回路１２１は、第２の光源１１１に、一日のうち朝２時から２２時まで照射させる。
【００５５】
また、上述した照明部１１０の構成は一例であり、照明部１１０は、以下のような構成であってもよい。図９は、照明部１１０の構成の他の例を示す概略図である。図９に示すように、照明部１１０において、第１の光源１１は、実施の形態１に示した第１の光源１１と同様、第１の発光部１１ａと第１のフィルタ１１ｂとを有する構成であってもよい。第２の光源１１１は、第２の発光部１１１ａと第２のフィルタ１１１ｂとを有する構成であってもよい。第２のフィルタ１１１ｂは、第２の発光部１１１ａから照射された光のうち、６１０［ｎｍ］以上６６０［ｎｍ］以下の波長成分にピークを有する光を透過する。つまり、第２のフィルタ１１１ｂは、図５に示すように、６１０［ｎｍ］以上６６０［ｎｍ］以下の波長成分にピークを有する光以外の光をカットする。これにより、第２のフィルタ１１１ｂを通過した光は、６１０［ｎｍ］以上６６０［ｎｍ］以下の波長成分にピークを有するものとなる。
【００５６】
つまり、第１の発光部１１ａと第１のフィルタ１１ｂにより構成される第１の光源１１では、第１の発光部１１ａとして２６０［ｎｍ］以上３４０［ｎｍ］以下の波長成分およびこれ以外の波長成分にピークを有する光を照射する発光部を用いることができる。同様に、第２の発光部１１１ａと第２のフィルタ１１１ｂにより構成される第２の光源１１１では、第２の発光部１１１ａとして６１０［ｎｍ］以上６６０［ｎｍ］以下の波長成分およびこれ以外の波長成分にピークを有する光を照射する発光部を用いることができる。
【００５７】
したがって、第１の発光部１１ａおよび第２の発光部１１１ａとして、人間の視認性に影響のない光を照射する発光部を用いることができるので、作業者に違和感を与えるのを低減することができる。
【００５８】
図１０Ａは、第２のフィルタ１１１ｂを用いた第２の光源１１１が発する光の発光スペクトルの一例を示す図である。図１０Ｂは、第２のフィルタ１１１ｂを用いた第２の光源１１１が発する光の発光スペクトルの他の例を示す図である。
【００５９】
図１０Ａでは、２種類の赤色の単色光の発光スペクトルが図示されている。図１０Ａに示す実線は、６３０ｎｍの波長成分にピークを有するＬＥＤ、破線は６６０ｎｍの波長成分にピークを有する蛍光灯の発光スペクトルを示している。
【００６０】
なお、第２の光源１１１が赤色光を発することは必須ではない。例えば、第２の光源１１１は、６００ｎｍ以上６５０ｎｍ以下の発光ピーク波長を有する白色光を発してもよい。第２の光源１１１は、具体的には、色温度が３５００Ｋ以下の白色光を発してもよい。
【００６１】
図１０Ｂは、６２５ｎｍの波長成分にピークを有する、色温度が２０００Ｋの白色光のＬＥＤの発光スペクトルを示している。
【００６２】
白色光を発する第２の光源１１１は、例えば、青色ＬＥＤ及び蛍光体の組み合わせによって実現される。白色光を発する第２の光源１１１は、具体的には、ＣＯＢ（Ｃｈｉｐ  Ｏｎ  Ｂｏａｒｄ）型の発光モジュール、ＳＭＤ（Ｓｕｒｆａｃｅ  Ｍｏｕｎｔ  Ｄｅｖｉｃｅ）型の発光モジュール、または、リモートフォスファー型の発光モジュールなどによって実現される。白色光を発する第２の光源１１１は、白熱電球または蛍光灯などであってもよい。なお、第２の光源１１１が発する白色光は、黒体軌跡上の白色であってもよいし、黒体軌跡から外れた白色であってもよい。
【００６３】
［２−２．照射光の照射パターン］
ここで、照明装置１００の照射光の制御の方法について説明する。図１１は、本実施の形態に係る照明装置１００における照明部１１０の照射パターンを示す図である。
【００６４】
本実施の形態に係る照明装置１では、第１の光源１１は、２６０［ｎｍ］以上３４０［ｎｍ］以下の波長成分にピークを有する光を発する光源である。第２の光源１１１は、６１０［ｎｍ］以上６６０［ｎｍ］以下の波長成分にピークを有する光を発する光源である。
【００６５】
制御部１２０は、図１１に示すように、例えば２時から２２時まで第１の光源１１および第２の光源１１１により一定の放射照度の光を照射対象に照射するように照明部１１０を制御する。これにより、照明装置１００から照射対象に２６０［ｎｍ］以上３４０［ｎｍ］以下の波長成分にピークを有する光、および、６１０［ｎｍ］以上６６０［ｎｍ］以下の波長成分にピークを有する光が照射される。
【００６６】
以下、本実施の形態に係る照明装置１００を用いた実施例について説明する。なお、比較のため、従来技術に係る照明装置、比較例に係る照明装置、および、実施の形態１に示した照明装置１を用いた例についても併せて説明する。従来技術に係る照明装置、比較例に係る照明装置、および、実施の形態１に示した照明装置１は、実施の形態１に示した従来技術に係る照明装置、比較例に係る照明装置、および、実施の形態１に示した照明装置１と同様である。
【００６７】
［２−３．実施例］
ここでは、実施の形態１と同様、平均産卵日量［ｇ］、奇形鶏発生率［％］、産卵鶏排除率［％］の比較を行う。図１２は、従来技術、実施の形態１、実施の形態２および比較例に係る照明装置による比較試験の結果を示す図である。なお、照射対象は、産卵鶏育成期間が前期、中期および後期（孵化１５０日〜６００日）の産卵鶏５であり、家禽舎内の１区で飼育される１００羽である。
【００６８】
図１２に示す従来例１、従来例２、比較例１、比較例２および実施例１の実験結果は、実施の形態１に示した従来例１、従来例２、比較例１、比較例２および実施例１の実験結果と同様である。
【００６９】
実施例２に係る照明装置１００は、照明部１１０の第１の光源１１として、放射照度が３［μＷ／ｃｍ２］のＵＶ蛍光灯を備えている。また、照明装置１００は、第２の光源１１１として波長６３０［ｎｍ］にピークを有し、かつ、照度が１０［ｌｘ］のＬＥＤを備えている。
【００７０】
また、実施例３にかかる照明装置１００は、照明部１１０の第１の光源１１として、放射照度が３［μＷ／ｃｍ２］のＵＶ蛍光灯を備えている。また、照明装置１００は、第２の光源１１１として色温度が２０００［Ｋ］であって照度が１０［ｌｘ］のＬＥＤを備えている。
【００７１】
そして、制御部１２０は、図１１に示したように、１日のうち２時から２２時まで照射対象である産卵鶏５に光を照射している。
【００７２】
従来例１、従来例２、比較例１、比較例２、実施例１、実施例２および実施例３の実験結果を比較すると、図１２に示すように、実施例２および実施例３では、従来例１、従来例２、比較例１、比較例２および実施例１よりも平均産卵日量が増加している。したがって、本実施の形態に係る照明装置１００およびその制御方法によると、他の例に比べ平均産卵日量は増加することが解る。
【００７３】
また、奇形鶏発生率については、実施例２および実施例３では０％という結果が得られている。したがって、本実施の形態に係る照明装置１では、産卵鶏５の体内のビタミンＤおよびカルシウムの増加を促進し、奇形鶏の発生をより抑制することができることが解る。
【００７４】
また、産卵鶏排除率については、実施例２および実施例３では、産卵鶏排除率が３％と、実施例１の場合よりもさらに低くなっている。したがって、本実施の形態に係る照明装置１では、産卵鶏５に寄生する吸血性ダニを防除し、産卵鶏５が貧血などにより死亡するのをより抑制することができることが解る。
【００７５】
以上により、本実施の形態に係る照明装置１を用いると、産卵日量を増加させたり、奇形鶏および排除鶏の割合を低減させたりすることにより、効率的に採卵することができる。
【００７６】
［２−４．まとめ］
以上、本実施の形態に係る照明装置２によると、前記照明装置は、６１０［ｎｍ］以上６６０［ｎｍ］以下の波長成分に発光ピークを有する光を照射する第２の光源をさらに備え、前記第２の光源は、前記制御部により制御され、前記制御部は、前記第２の光源に、６１０［ｎｍ］以上６６０［ｎｍ］以下の波長成分に発光ピークを有しかつ５［ｌｘ］以上３０［ｌｘ］以下の照度の光を１６［ｈ／日］以上２０［ｈ／日］以下照射させてもよい。
【００７７】
また、前記第２の光源は、第２の発光部と、第２のフィルタとを備え、前記第２のフィルタは、前記第２の発光部から照射された光のうち、６１０［ｎｍ］以上６６０［ｎｍ］以下の波長成分に発光ピークを有する光を透過させてもよい。
【００７８】
これにより、人間の視認性に影響のない光を照射する発光部を用いることができるので、作業者に違和感を与えるのを低減しつつ、産卵鶏５から効率よく採卵することができる。
【００７９】
また、本変形例に係る照明方法は、家禽類の飼育に用いられる照明方法であって、第１の光源により、２６０［ｎｍ］以上３４０［ｎｍ］以下の波長成分に発光ピークを有する光を３［μＷ／ｃｍ２］以上２０［μＷ／ｃｍ２］以下の放射照度で照射するとともに、第２の光源により、６１０［ｎｍ］以上６６０［ｎｍ］以下の波長成分に発光ピークを有しかつ５［ｌｘ］以上３０［ｌｘ］以下の照度の光を１６［ｈ／日］以上２０［ｈ／日］以下照射する。
【００８０】
これにより、昼行性家禽類である産卵鶏５の奇形鶏発生率および産卵鶏排除率を低減することができるとともに、平均産卵日量を増加させることができる。よって、産卵鶏５から効率よく採卵することができる。
【００８１】
なお、本実施の形態に係る照明装置１では、第１の光源１１および第２の光源１１１の２種類の光源を使用したが、これに限らず、ピークを生じる波長領域が異なる複数種類の光源をしてもよい。また、複数の光源について、光源から光を照射するかしないかの制御を行ってもよい。また、光源１２の相関色温度、波長、放射エネルギー等他のパラメータ制御することとしてもよい。また、制御の単位は、年単位、日単位、または、その他の周期で制御することとしてもよい。
【００８２】
（実施の形態３）
［３−１．照射光の照射パターン］
次に、実施の形態３に係る照明装置について説明する。実施の形態２では、一例として照明装置１００は、第１の光源１１および第２の光源１１１により、１日のうち２時から２２時まで照射対象である産卵鶏に光を照射するとしたが、制御部１２０は、第２の光源１１１の消灯後、第１の光源１１のみに光を照射させることとしてもよい。
【００８３】
図１３は、本実施の形態に係る照明装置における照明部１１０の照射パターンを示す図である。図１３に示すように、制御部１２０は、１日のうち２時から２２時まで、第１の光源１１により２６０［ｎｍ］以上３４０［ｎｍ］以下の波長成分にピークを有する光を照射させ、第２の光源１１１により６１０ｎｍ以上６６０ｎｍ以下の波長成分にピークを有する光を照射させる。そして、第２の光源１１１を消灯させた後、２２時から２時まで、第２の光源１１１のみにより２６０［ｎｍ］以上３４０［ｎｍ］以下の波長成分にピークを有する光を照射させる。
【００８４】
このときの照射強度は、第１の光源１１および第２の光源１１１の両方で照射させたときの、第１の光源１１の照射強度と第２の光源１１１の照射強度の合計の照射強度よりも小さく、第１の第１の光源１１および第２の光源１１１の両方で照射させたときの第１の光源１１のみの照射強度よりも大きい。例えば、制御部１２０は、第１の光源１１に、５［μＷ／ｃｍ２］以上１５［μＷ／ｃｍ２］以下の放射照度の光を照射させることとしてもよい。
【００８５】
［３−２．実施例］
図１４は、従来技術、実施の形態１、実施の形態２、実施の形態３および比較例に係る照明装置による比較試験の結果を示す図である。図１４において、従来例１、従来例２、比較例１、比較例２、実施例１、実施例２および実施例３の実験結果は、実施の形態１および２に示した従来技術、実施の形態１、実施の形態２、実施の形態３および比較例に係る照明装置による比較試験の結果と同様である。
【００８６】
実施例４に係る照明装置は、２時から２２時までの間は、照明部１１０の第１の光源１１として放射照度が３［μＷ／ｃｍ２］のＵＶ蛍光灯を用い、第２の光源１１１として波長６３０［ｎｍ］にピークを有し、かつ、照度が１０［ｌｘ］のＬＥＤを用いている。また、２２時から２時までは、第１の光源１１として放射照度が５［μＷ／ｃｍ２］のＵＶ蛍光灯を用いている。
【００８７】
また、実施例５にかかる照明装置は、２時から２２時までは、照明部１１０の第１の光源１１として放射照度が３［μＷ／ｃｍ２］のＵＶ蛍光灯を用い、第２の光源１１１として色温度が２０００［Ｋ］であって照度が１０［ｌｘ］のＬＥＤを用いている。また、２２時から２時までは、第１の光源１１として放射照度が５［μＷ／ｃｍ２］のＵＶ蛍光灯を用いている。
【００８８】
従来例１、従来例２、比較例１、比較例２、実施例１〜実施例３と、実施例４および実施例５との実験結果を比較すると、図１２に示すように、実施例４および実施例５では、従来例１、従来例２、比較例１、比較例２、実施例１〜実施例３よりも産卵鶏排除率が減少している。特に、実施例４では産卵鶏排除率は０％という結果が得られている。したがって、本実施の形態に係る照明装置では、産卵鶏に寄生する吸血性ダニを防除し、産卵鶏が貧血などにより死亡するのをより抑制することができることが解る。
【００８９】
また、奇形鶏発生率については、実施例４および実施例５では、実施例１〜実施例３と同様、０％という結果が得られている。したがって、本実施の形態に係る照明装置およびその制御方法についても、産卵鶏の体内のビタミンＤおよびカルシウムの増加を促進し、奇形鶏の発生をより抑制することができるといえる。
【００９０】
また、平均産卵日量については、実施例４では、従来例１、従来例２、比較例１および比較例２よりも増加していることが解る。特に、実施例５では平均産卵日量が５８．１ｇという結果が得られており、従来例１、従来例２、比較例１、比較例２、実施例１〜実施例３および実施例４よりも平均産卵日量は増加している。したがって、本実施の形態に係る照明装置およびその制御方法によると、従来例に比べ平均産卵日量は増加することが解る。
【００９１】
以上により、本実施の形態に係る照明装置を用いると、産卵日量を増加させたり、奇形鶏および排除鶏の割合を低減させたりすることにより、効率的に採卵することができる。
【００９２】
［３−３．まとめ］
以上のように、本変形例に係る照明装置は、前記第２の光源の消灯後、前記制御部は、前記前記第１の光源に５［μＷ／ｃｍ２］以上１５［μＷ／ｃｍ２］以下の放射照度の光を照射させてもよい。
【００９３】
また、本変形例に係る照明方法は、前記第２の光源の消灯後、前記第１の光源により５［μＷ／ｃｍ２］以上１５［μＷ／ｃｍ２］以下の放射照度の光を照射してもよい。
【００９４】
これにより、第１の光源１１と第２の光源１１１の両方で所定時間産卵鶏を照射し、第２の光源１１１の消灯後も第１の光源１１のみで照射することにより、平均産卵日量を増加させつつ、奇形鶏および排除鶏の割合を低減させ、効率的に採卵することができる。
【００９５】
（変形例１）
次に、変形例１について説明する。図１５は、本変形例に係る照明装置において、照射対象に対して、照明部の位置を変更する場合の配置図である。上述した実施の形態１〜３に示した照明装置において、照射部は、照射対象である産卵鶏５の上方から産卵鶏５に対して照射することに限らず、照射方向を変更してもよい。
【００９６】
例えば、図１５の（Ａ）の位置に示す照明部２１０Ａのように、産卵鶏５の上方から産卵鶏５を照射してもよいし、図１５の（Ｂ）の位置に示す照明部２１０Ｂのように、産卵鶏５の斜め上方から照射してもよい。また、図１５の（Ｃ）の位置に示す照明部２１０Ｃのように、産卵鶏５の正面から照射してもよいし、図１５の（Ｄ）の位置に示す照明部２１０Ｄのように、産卵鶏５の斜め下方から照射してもよい。
【００９７】
これにより、例えば、夜間にも使用する第１の光源１を産卵鶏５の目に光が入らず産卵鶏５の体全体を照射する位置に配置し、第２の光源１１１を産卵鶏５の目に光が入る位置に配置するなど、照射位置を変更することができる。
【００９８】
（変形例２）
次に、変形例２について説明する。図１６は、変形例に係る照明装置の照射対象に対する配置位置を示す図である。
【００９９】
照射対象である複数の産卵鶏５が、区画された領域ごとに配置される形態の鶏舎では、照明装置は、各産卵鶏５の上方に配置される構成であってもよいし、図１６に示すように、平面視したときに複数の産卵鶏５のそれぞれの間に配置される構成としてもよい。
【０１００】
また、図１６に示すように、列または行ごとに異なる種類の照明部を有する照明装置を配置してもよい。図１６では、複数の産卵鶏５のそれぞれの間の、行方向に照射部２２０、列方向に照射部２３０を配置している。照明部２２０は、第１の光源１１のみを備える照明部とし、照明部２３０は、第１の光源１１と第２の光源１１１とを備える照明部としてもよい。例えば、実施の形態３で示したように、照明部２２０は、第１の光源１１として放射照度が５［μＷ／ｃｍ２］のＵＶ蛍光灯を用いた照明部としてもよい。また、照明部２３０は、第１の光源１１として放射照度が３［μＷ／ｃｍ２］のＵＶ蛍光灯、第２の光源１１１として波長６３０［ｎｍ］にピークを有し、かつ、照度が１０［ｌｘ］のＬＥＤを用いた照明部としてもよい。
【０１０１】
（その他の変形例等）
以上、本発明の実施の形態に係る照明装置について説明したが、本発明は、上述した実施の形態に限定されるものではない。
【０１０２】
例えば、制御部における制御パターンは、上述したものに限らず適宜変更してもよい。例えば、上述した実施の形態では、日単位の制御パターンを示したが、月単位の制御パターンとしてもよいし、週単位の制御パターンとしてもよい。また、発光ピークの波長および放射照度のレベルを変更してもよい。
【０１０３】
また、照明部は、１つまたは２つの種類の光源に限らず、３つ以上の種類の光源を備える構成としてもよい。
【０１０４】
また、光源の数は、上述した実施の形態に示した個数に限らず変更してもよい。また、発光素子の種類についても、ＬＥＤ、蛍光灯、白熱電球に限らずその他の光源を用いた光源としてもよい。また、光源は、発光素子が光学レンズで覆われた構成であってもよいし、光学レンズを有しない構成であってもよい。
【０１０５】
また、上述した実施の形態および変形例で用いた数値、形状、材料は、全て本発明を具体的に説明するために例示するものであり、本発明は例示された数値、形状、材料に制限されない。
【０１０６】
以上、実施の形態および変形例について、当業者が思いつく各種変形を施して得られる形態や、本発明の趣旨を逸脱しない範囲で実施の形態および変形例における構成要素および機能を任意に組み合わせることで実現される形態も本発明に含まれる。
【符号の説明】
【０１０７】
１、１００  照明装置
５  産卵鶏（照射対象）
１０、１１０、２１０ａ、２１０ｂ、２１０ｃ、２１０ｄ、２２０、２３０  照明部（ランプ）
１１  第１の光源
１１ａ  第１の発光部
１１ｂ  第１のフィルタ
２０、１２０  制御部
２１、１２１  制御回路（制御部）
２３  時間設定部（制御部）
１１１  第２の光源
１１１ａ  第２の発光部
１１１ｂ  第２のフィルタ
【図１】
2019141000.tif 000003
【図２】
2019141000.tif 000004
【図３】
2019141000.tif 000005
【図４Ａ】
2019141000.tif 000006
【図４Ｂ】
2019141000.tif 000007
【図５Ａ】
2019141000.tif 000008
【図５Ｂ】
2019141000.tif 000009
【図５Ｃ】
2019141000.tif 000010
【図６】
2019141000.tif 000011
【図７】
2019141000.tif 000012
【図８】
2019141000.tif 000013
【図９】
2019141000.tif 000014
【図１０Ａ】
2019141000.tif 000015
【図１０Ｂ】
2019141000.tif 000016
【図１１】
2019141000.tif 000017
【図１２】
2019141000.tif 000018
【図１３】
2019141000.tif 000019
【図１４】
2019141000.tif 000020
【図１５】
2019141000.tif 000021
【図１６】
2019141000.tif 000022